(57)【要約】【課題】レンズに付着した水滴及び氷を容易に除去するとともに、コストを抑えることが可能なカメラ装置を提供する。【解決手段】表面１３ｂに親水コーティングが施されたレンズ１３と、レンズ１３を支持する鏡筒１２と、発熱体２５が取付けられた基板２２とを備え、鏡筒１２は、金属又は熱伝導性を有する樹脂からなり、鏡筒１２に、発熱体２５が接着剤２６を介して接続される。発熱体２５で生じる熱は、鏡筒１２を介してレンズ１３に伝わり、レンズ１３自体が温められる。【選択図】図３
2018205606.tif 000002
【特許請求の範囲】
【請求項１】
外表面に親水コーティングが施されたレンズと、前記レンズを支持する鏡筒と、発熱体が取付けられた基板とを備え、
前記鏡筒は、金属又は熱伝導性を有する樹脂からなり、前記鏡筒に、前記発熱体又は前記基板が接続されることを特徴とするカメラ装置。
【請求項２】
前記発熱体は、前記レンズを通過した光を電気信号に変換する撮像素子であることを特徴とする請求項１に記載のカメラ装置。
【請求項３】
前記基板は、前記発熱体の他に前記レンズを通過した光を電気信号に変換する撮像素子が取付けられていることを特徴とする請求項１に記載のカメラ装置。
【請求項４】
前記基板は、前記発熱体と前記撮像素子との間にスリット又は凹部が設けられていることを特徴とする請求項３に記載のカメラ装置。
【請求項５】
前記基板は、前記スリット又は凹部の前記撮像素子側に、前記撮像素子の出力を外部に取り出すためのコネクタが設けられることを特徴とする請求項４に記載のカメラ装置。
【請求項６】
前記鏡筒の周囲に筐体を備え、少なくとも前記鏡筒及び前記筐体の一方に、前記レンズの正面視にて、前記レンズの中央の下方から側方にずれた位置に、前記レンズに付着した水滴を除去する水滴除去部材が設けられ、前記水滴除去部材は、親水性を有し、前記水滴除去部材の少なくとも一部が、前記レンズの正面視にて前記レンズに重なるとともに前記レンズの表面に接触又は近接することを特徴とする請求項１乃至５のいずれか一項に記載のカメラ装置。
【請求項７】
前記水滴除去部材の少なくとも一部は、突起状に形成されていることを特徴とする請求項６に記載のカメラ装置。
【発明の詳細な説明】
【技術分野】
【０００１】
本発明は、カメラ装置に関する。
【背景技術】
【０００２】
従来、カメラ装置として、レンズの前側に配置された排水部材でレンズに付着した水滴を除去するもの（例えば、特許文献１参照）が知られている。
また、カメラ部を収納するカメラケースの前面にガラス部材を設け、ガラス部材を加熱することでガラス部材に付着した氷を除去するもの（例えば、特許文献２参照）が知られている。
【先行技術文献】
【特許文献】
【０００３】
【特許文献１】特開２０１５−１５２８８３号公報
【特許文献２】特開平６−２５８７１３号公報
【発明の概要】
【発明が解決しようとする課題】
【０００４】
特許文献１では、レンズの表面に氷が付着した場合、レンズの前側下方に配置された排水部材が、氷の落下を妨げていた。
また、特許文献２では、カメラケースのガラス部材にヒーターが取付けられているが、ガラス部材に雪や氷が付着する状況では、カメラ本体のレンズ自体に結露等で水滴が付着することがある。また、カメラ本体に対して、ガラス部材、ヒーター、パッキン、カバー等、部品数が多くなるとともに、ヒーターが、撮影された映像に映り込まない特別なものにする必要があるため、コストアップを招く。
本発明の目的は、レンズに付着した水滴及び氷を容易に除去するとともに、コストを抑えることが可能なカメラ装置を提供することにある。
【課題を解決するための手段】
【０００５】
本発明は、外表面に親水コーティングが施されたレンズと、前記レンズを支持する鏡筒と、発熱体が取付けられた基板とを備え、前記鏡筒は、金属又は熱伝導性を有する樹脂からなり、前記鏡筒に、前記発熱体又は前記基板が接続されることを特徴とする。
【０００６】
上記発明において、前記発熱体は、前記レンズを通過した光を電気信号に変換する撮像素子であっても良い。
また、上記発明において、前記基板は、前記発熱体の他に前記レンズを通過した光を電気信号に変換する撮像素子が取付けられていても良い。
【０００７】
また、上記発明において、前記基板は、前記発熱体と前記撮像素子との間にスリット又は凹部が設けられていても良い。
また、上記発明において、前記基板は、前記スリット又は凹部の前記撮像素子側に、前記撮像素子の出力を外部に取り出すためのコネクタが設けられるようにしても良い。
【０００８】
また、上記発明において、前記鏡筒の周囲に筐体を備え、少なくとも前記鏡筒及び前記筐体の一方に、前記レンズの正面視にて、前記レンズの中央の下方から側方にずれた位置に、前記レンズに付着した水滴を除去する水滴除去部材が設けられ、前記水滴除去部材は、親水性を有し、前記水滴除去部材の少なくとも一部が、前記レンズの正面視にて前記レンズに重なるとともに前記レンズの表面に接触又は近接するようにしても良い。
また、上記発明において、前記水滴除去部材の少なくとも一部は、突起状に形成されていても良い。
【発明の効果】
【０００９】
本発明は、外表面に親水コーティングが施されたレンズと、レンズを支持する鏡筒と、発熱体が取付けられた基板とを備え、鏡筒は、金属又は熱伝導性を有する樹脂からなり、鏡筒に、発熱体又は基板が接続されるので、発熱体で生じる熱を、鏡筒を介してレンズに伝えて、レンズ自体を温めることができ、レンズに雪や氷が付着した際に、雪や氷のレンズと接触する部分を溶かして雪や氷をレンズから容易に除去することができる。また、氷が解けて出来た水も親水コーティングによってレンズ表面から容易に除去することができる。更に、カメラ構造に備える基板に発熱体を取付けるという従来構造を利用するものであり、コストアップを抑えることができる。
【図面の簡単な説明】
【００１０】
【図１】本発明の第１実施形態のカメラ装置を示す斜視図である。
【図２】カメラ装置を示す正面図である。
【図３】図２のＩＩＩ−ＩＩＩ線断面図である。
【図４】カメラ装置のレンズに氷が付着したときの作用を示す第１作用図である。
【図５】カメラ装置のレンズに氷が付着したときの作用を示す第２作用図である。
【図６】カメラ装置のレンズに水滴が付着したときの作用を示す第１作用図である。
【図７】カメラ装置のレンズに水滴が付着したときの作用を示す第２作用図である。
【図８】比較例のカメラ装置のレンズに水滴が付着したときの作用を示す作用図である。
【図９】本発明の第２実施形態のカメラ装置を示す断面図である。
【発明を実施するための形態】
【００１１】
以下、図面を参照して本発明の一実施形態について説明する。なお、各図に示す符号ＦＲはカメラ装置１０の前方を示し、符号ＵＰはカメラ装置１０の上方を示し、符号ＬＨはカメラ装置１０に向かって左方を示している。
＜第１実施形態＞
図１は、本発明の第１実施形態のカメラ装置１０を示す斜視図である。
カメラ装置１０は、箱形で樹脂製の筐体１１と、筐体１１の前部に設けられた鏡筒１２と、鏡筒１２に支持されたレンズ１３と、筐体１１の外部に着脱可能に設けられた水滴除去部材１４とを備える。
レンズ１３は、外表面（表面１３ｂ）に親水コーティングが施され、親水性を有している。
水滴除去部材１４は、筐体１１に係止するための係止部１４ａと、係止部１４ａからレンズ１３の表面１３ｂまで突出する突起状の突起部１４ｂとから構成されている。係止部１４ａは、複数の係止凸部１４ｃ，１４ｄを備え、係止凸部１４ｃ，１４ｄが筐体１１に設けられた被係止部（不図示）に係合される。
このように、水滴除去部材１４をはめ込み式として筐体１１に着脱可能に設けることで、水滴除去部材１４を備えていないカメラ装置に水滴除去部材１４を後付けすることができ、汎用性を高めることができる。なお、筐体１１と水滴除去部材１４と結合構造を、上記した係止部１４ａと係止凸部１４ｃ，１４ｄとから構成されるスナップフィット構造としたが、これに限らず、ビス、ナット等の締結部材を使用した構造としても良い。
【００１２】
図２は、カメラ装置１０を示す正面図である。
カメラ装置１０は、レンズ１３の後方に、レンズ１３を通過した光を電気信号に変換する撮像素子１６を備える。
水滴除去部材１４の突起部１４ｂは、レンズ１３の中心１３ａ（中心１３ａを黒丸で示す。）の下方から側方（向かって右側方）にずれた位置に設けられている。突起部１４ｂ（詳しくは、突起部１４ｂの中心線１４ｇ）は、中心１３ａを通る鉛直線２０に対して角度θだけずれた位置に設けられる。例えば、角度θ＝３０〜５０°である。
カメラ装置１０において、例えば、筐体１１の形状が２．５ｃｍ角の立方体である場合、レンズ１３の画角は１８０°、レンズ１３の直径は１．５ｃｍ、突起部１４ｂの中心線１４ｇに沿った長さＬは１ｃｍ、突起部１４ｂの中心線１４ｇに直交する方向の幅Ｗは１ｃｍ、直線部１４ｆの長さは２ｍｍである。
なお、突起部１４ｂの中心線１４ｇは、レンズ１３の中心１３ａを通るが、中心１３ａよりも上方又は下方を通るように突起部１４ｂを配置しても良い。
【００１３】
また、突起部１４ｂは、正面視で、先端部１４ｅが、レンズ１３に重なるとともに撮像素子１６よりも半径方向外側に配置されている。従って、突起部１４ｂは、撮像素子１６による撮像に影響を与えない。また、水滴除去部材１４を上記の位置に設けることで、水滴をレンズ１３上から効果的に除去することができる。
突起部１４ｂの先端部１４ｅは、レンズ１３の中心１３ａに面する直線部１４ｆを有するが、直線部１４ｆの長さ（０〜５ｍｍ）は小さい。なお、先端部１４ｅには直線部１４ｆを設けなくても良く、先端部１４ｅを尖った形状としても良い。
なお、突起部１４ｂを、鉛直線２０よりも向かって右側方に設けたが、これに限らず、突起部１４ｂを、鉛直線２０を基準として実線で示した位置に対して線対称となるように想像線で示した位置（鉛直線２０よりも向かって左側方）に設けても良い。この場合、水滴除去部材１４を、実線で示した突起部１４ｂを含むものに対して、想像線で示した突起部１４ｂを含むように、左右逆の形状としても良い。
【００１４】
図３は、図２のＩＩＩ−ＩＩＩ線断面図である。
図３では、カメラ装置１０において、レンズ１３の光軸１３ｃは、横向き、詳しくは、水平線２１に対して角度αだけ前下がりとなるように延びている。例えば、角度α＝５〜４５°である。
筐体１１は、前壁１１ａを備え、前壁１１ａに形成された貫通穴１１ｂに鏡筒１２が嵌合されている。
筐体１１内で鏡筒１２の後方には、基板２２が配置されている。基板２２は、筐体１１に図示せぬ締結部材で取付けられている。基板２２には、前面２２ａの中央部に撮像素子１６が取付けられ、前面２２ａの撮像素子１６から隔てた周縁部にヒーター等からなる複数の発熱体２５が取付けられている。発熱体２５は、外部からの電力供給によって発熱する。
【００１５】
鏡筒１２の後端部は、接着剤２６により複数の発熱体２５に取付けられている。鏡筒１２は、熱伝導性の良い金属製又は樹脂製であり、更に、接着剤２６も熱伝導性が良いため、複数の発熱体２５で生じた熱は、接着剤２６及び鏡筒１２を介してレンズ１３に伝わりやすい。
基板２２の前面２２ａには、撮像素子１６と複数の発熱体２５との間に、熱伝導を抑制するための凹部（又はスリット）２２ｂが形成されている。ここでは、凹部２２ｂは、溝状であっても良い。
上記した、凹部（又はスリット）２２ｂによって、複数の発熱体２５で発生した熱が撮像素子１６に伝わるのを制限することができる。これにより、撮像素子１６が過度に温度上昇するのを防止して撮像素子１６を保護することができる。
【００１６】
また、凹部（又はスリット）２２ｂによって、撮像素子１６で発生した熱が、基板２２、複数の発熱体２５、接着剤２６及び鏡筒１２を介してレンズ１３に伝わる熱の伝わり具合を調整することができる。
以上より、レンズ１３には、複数の発熱体２５及び撮像素子１６の両方から熱を伝えることができる。
具体的に、基板２２における熱伝導を調整するには、例えば、凹部（又はスリット）２２ｂの深さや幅、隣り合う凹部（又はスリット）２２ｂ，２２ｂの間隔を変更する。
【００１７】
基板２２の背面２２ｃには、凹部（又はスリット）２２ｂよりも撮像素子１６側にコネクタ２７が設けられている。
コネクタ２７は、基板２２の背面２２ｃに取付けられた雄コネクタ２７ａと、雄コネクタ２７ａに接続された雌コネクタ２７ｂとからなる。
雄コネクタ２７ａは、内部に複数の接続端子を備え、各接続端子が導線（不図示）を介して撮像素子１６に接続されている。雌コネクタ２７ｂは、内部に複数の接続端子であって雄コネクタ２７ａの各接続端子に接触する接続端子を備え、雌コネクタ２７ｂの各接続端子には導線２８が接続されている。導線２８は、カメラ装置１０の映像処理部（不図示）に接続され、撮像素子１６の出力信号をコネクタ２７から導線２８を介してカメラ装置１０の映像処理部に伝える。
【００１８】
撮像素子１６で発生する熱は、撮像素子１６から延びる導線と、雄コネクタ２７ａ及び雌コネクタ２７ｂの各接続端子と、導線２８とを介して外部に逃げる。また、撮像素子１６の熱は、撮像素子１６から直接に基板２２に伝わって、基板２２から空気中に放熱される。このようにして、撮像素子１６の温度上昇が抑えられる。
水滴除去部材１４の突起部１４ｂの先端部１４ｅは、レンズ１３の表面１３ｂに接触又は近接している。これによって、レンズ１３の表面１３ｂに付着した水滴を、親水性を有する突起部１４ｂに移動させやすくできる。
また、突起部１４ｂの先端部１４ｅは、撮像素子１６に入射する光の経路Ａ，Ａを邪魔しない範囲（光の経路Ａ，Ａの外側の範囲であり、撮像に影響を与えない範囲）に設けられる。このように、突起部１４ｂを撮像範囲を避けて設けているため、映像に突起部１４ｂは映らないようにすることができる。
【００１９】
以上に示したように、基板２２は、発熱体２５と撮像素子１６との間に凹部（又はスリット）２２ｂが設けられている。
この構成によれば、凹部（又はスリット）２２ｂによって、発熱体２５から撮像素子１６に伝わる熱や、撮像素子１６からレンズ１３に伝わる熱の伝わり具合を調整することができる。具体的には、発熱体２５から撮像素子１６に熱を伝わりにくくして、撮像素子１６の温度上昇を抑えたり、撮像素子１６によるレンズ１３の加熱度合いを調整したりすることができる。
また、基板２２は、凹部（又はスリット）２２ｂの撮像素子１６側に、撮像素子１６の出力を外部に取り出すためのコネクタ２７が設けられる。
この構成によれば、撮像素子１６で発生する熱をコネクタ２７を通じて外部に逃がすことができ、撮像素子１６の冷却性を高めることができる。
【００２０】
以上に述べたカメラ装置１０の作用を次に説明する。
図４は、カメラ装置１０のレンズ１３に氷３１が付着したときの作用を示す第１作用図、図５は、カメラ装置１０のレンズ１３に氷３１が付着したときの作用を示す第２作用図である。なお、水滴除去部材１４については、突起部１４ｂのみ描いている（図６〜図８についても同じ。）。
図４に示すように、レンズ１３の表面１３ｂに付着した水滴や、レンズ１３の表面１３ｂに広がった水膜が凍って、レンズ１３の表面１３ｂに氷５１が付着している状態では、レンズ１３を通して撮像素子１６への光の導入が困難となる。そこで、図３において、複数の発熱体２５に電力を供給して発熱体２５を発熱させる。これにより、熱が複数の発熱体２５から接着剤２６及び鏡筒１２を介してレンズ１３に伝わるため、図４において、氷５１のレンズ１３に接する部分が解ける。
【００２１】
この結果、氷５１が解けて出来た水が、親水性を有するレンズ１３の表面１３ｂと残った氷５１との間に膜状に広がる。これによって、図５に示すように、残った氷５１は、レンズ１３上を滑って下降し、レンズ１３上から落下する。このとき、氷５１の一部が、水滴除去部材１４の突起部１４ｂの先端部１４ｅに接触している場合には、氷５１には、先端部１４ｅを中心とするモーメントが作用するため、氷５１は、先端部１４ｅを中心にして回動しながら下降して落下する。
このように、突起部１４ｂは、レンズ１３の中央の下方に対して側方にずれた位置に設けられるため、氷５１の下降及び落下の邪魔になりにくい。また、突起部１４ｂの先端部１４ｅを、幅の狭い、あるいは尖った形状にすることで、氷５１が先端部１４ｅに接触した後の回動がスムーズになり、氷５１を落下しやすくすることができる。
例えば、水滴除去部材１４に突起部を備えておらず、氷５１を突起状でない部分で受けると、氷５１が回動しにくくなり、氷５１の下降及び落下を妨げることになる。
【００２２】
車載用のカメラ装置１０では、突起部１４ｂをレンズ１３に対して進行方向の位置に設けることで、走行風の流れによって氷５１を落としやすくすることができる。
レンズに付着して固まった雪の場合も、上記氷５１と同じように除去することができる。
図３において、カメラ装置１０では、複数の発熱体２５と撮像素子１６とを発熱させることができ、レンズ１３に付着した雪や氷を迅速に除去することができる。また、外気温やレンズ１３の表面１３ｂの凍結状態に応じて、複数の発熱体を発熱させないで、撮像素子１６からの発熱だけで氷を除去しても良い。また、撮像素子１６による撮像を行っていない場合に、複数の発熱体のみ発熱させて氷を除去しても良い。この場合、複数の発熱体の全部又は一部を発熱させる。要は、発熱させる発熱源の個数によって発熱量を調整しても良い。
【００２３】
以上の図３及び図５に示したように、基板２２は、発熱体２５の他にレンズ１３を通過した光を電気信号に変換する撮像素子１６が取付けられている。
この構成によれば、発熱体２５と撮像素子１６とからそれぞれ生じる熱により、レンズ１３自体を温めることができ、レンズ１３に付着した雪や氷５１を迅速に除去することができる。
また、図５に示したように、水滴除去部材１４の少なくとも一部（詳しくは、突起部１４ｂ）は、突起状に形成されている。
この構成によれば、レンズ１３の表面１３ｂに付着した氷５１がレンズ１３上を滑り落ちる際に、突起部１４ｂ（詳しくは、突起部１４ｂの先端部１４ｅ）に接触した氷５１を突起部１４ｂ（詳しくは、先端部１４ｅ）を中心にしてスムーズに回動させることができ、氷５１をレンズ１３から容易に除去することができる。
【００２４】
図６は、カメラ装置１０のレンズ１３に水滴５２が付着したときの作用を示す第１作用図、図７は、カメラ装置１０のレンズ１３に水滴５２が付着したときの作用を示す第２作用図である。
図６及び図７に示すように、レンズ１３の表面１３ｂに水滴５２が付着した場合、水滴５２は、表面１３ｂの親水コーティングによってレンズ１３の表面１３ｂに膜状に広がった後にレンズ１３の下部に流れ落ちる。更に、水滴５２は、親水性を有する水滴除去部材１４の突起部１４ｂを伝ってレンズ１３のより下方に移動し、撮像範囲外に至る。そして、水滴５２の大部分は、レンズ１３よりも下方まで延びる突起部１４ｂによって、レンズ１３上から除去され、落下する。また、レンズ１３上の水滴５２は、突起部１４ｂから離れていても車両の振動に伴ってレンズ１３上を側方に移動して突起部１４ｂに接触し、下方へ排出される。
図３において、レンズ１３が、表面１３ｂよりも突出した想像線で示す表面１３ｄを有する広角とされた広角レンズである場合には、レンズ１３の表面１３ｄから水滴５２（図６、図７参照）が落下しにくくなる。しかし、このような広角レンズにおいても、本実施形態の水滴除去部材１４を設けることで、水滴５２をレンズ１３の表面１３ｄから除去しやすくすることができる。
【００２５】
以上の図３、図４及び図６に示したように、表面１３ｂに親水コーティングが施されたレンズ１３と、レンズ１３を支持する鏡筒１２と、発熱体２５が取付けられた基板２２とを備え、鏡筒１２は、金属又は熱伝導性を有する樹脂からなり、鏡筒１２に、発熱体２５が接着剤２６を介して接続される。
この構成によれば、発熱体２５で生じる熱を、鏡筒１２を介してレンズ１３に伝えて、レンズ１３自体を温めることができ、レンズ１３に雪や氷５１が付着した際に、雪や氷５１のレンズ１３と接触する部分を溶かして雪や氷５１をレンズ１３から容易に除去することができる。また、氷５１が解けて出来た水を、レンズ１３の親水コーティングによってレンズ１３の表面１３ｂに広がるように水膜を形成することができ、雪や氷５１を滑りやすくして、レンズ１３の表面１３ｂから容易に除去することができる。更に、カメラ構造に備える基板２２に発熱体２５を取付ける従来構造を利用するものであり、コストアップを抑えることができる。
【００２６】
図８は、比較例のカメラ装置１００のレンズ１０３に水滴１０５が付着したときの作用を示す作用図である。
カメラ装置１００は、箱形の筐体１０１と、筐体１０１の前部に設けられた鏡筒１０２と、鏡筒１０２に支持されたレンズ１０３とを備える。レンズ１０３は、表面１０３ａに親水性を有する。但し、図３に示した第１実施形態のカメラ装置１０の水滴除去部材１４を備えていない。
図８に示すように、レンズ１０３に水滴１０５が付着すると、レンズ１０３の表面１０３ａの親水性によって、表面１０３ａに付着したほとんどの水滴１０５は、レンズ１０３の下部に流れる。レンズ１０３下部の水滴１０５の一部は、レンズ１０３の表面１０３ａから落下し、水滴１０５の残りは、レンズ１０３の下部にとどまって大きな水滴１０５となる。この水滴１０５によって、撮像素子１６に入射する光の経路Ａ，Ａの一部が邪魔されて、撮影された映像に影響を及ぼす（例えば、映像品質を劣化させる）ことになる。
【００２７】
以上の図２、図３、図４、図５及び図６に示したように、鏡筒１２の周囲に筐体１１を備え、少なくとも鏡筒１２及び筐体１１の一方に、レンズ１３の正面視にて、レンズ１３の中央の下方から側方にずれた位置に、レンズ１３に付着した水滴５２を除去する水滴除去部材１４（詳しくは、水滴除去部材１４の突起部１４ｂ）が設けられる。水滴除去部材１４は、親水性を有し、水滴除去部材１４の少なくとも一部が、レンズ１３の正面視にてレンズ１３に重なるとともにレンズ１３の表面１３ｂに接触又は近接する。
この構成によれば、親水性を有する水滴除去部材１４によって、レンズ１３の表面１３ｂの水滴５２を集めて、レンズ１３の表面１３ｂから排除しやすくすることができる。また、レンズ１３の中央の下方から側方にずれた位置に水滴除去部材１４を設けたので、レンズ１３に付着した氷５１の落下を妨げにくくすることができる。
【００２８】
＜第２実施形態＞
図９は、本発明の第２実施形態のカメラ装置３０を示す斜視図である。
第２実施形態において、第１実施形態と同一構成については同一符号を付け、詳細説明は省略する。
カメラ装置３０は、図３に示したカメラ装置１０に対して、鏡筒３２及び基板３４の形状が異なるとともに発熱体を備えていない。
即ち、カメラ装置３０は、筐体１１、鏡筒３２、レンズ１３、水滴除去部材１４、基板３４、撮像素子１６、コネクタ２７を備える。
【００２９】
筐体１１の前壁１１ａに形成された貫通穴１１ｂに鏡筒３２が嵌合されている。鏡筒３２は、鏡筒１２（図３参照）に対して全長のみが異なり、鏡筒３２によってレンズ１３が支持される。鏡筒３２は、熱伝導性の良い金属製又は樹脂製である。
筐体１１の内側には基板３４が取付けられている。基板３４は、基板２２（図３参照）に対して凹部（又はスリット）２２ｂ（図３参照）を備えていない。基板３４の前面３４ａには、接着剤２６により鏡筒３２の後端部が取付けられている。また、基板３４の前面３４ａの中央部には、撮像素子１６が取付けられ、基板３４の背面３４ｃには、コネクタ２７が設けられている。
【００３０】
カメラ装置３０において、基板３４に接着剤２６により鏡筒３２を取付けることで、撮像素子１６で発生した熱は、基板３４、接着剤２６及び鏡筒１２を介してレンズ１３に伝わりやすくなる。従って、レンズ１３の表面１３ｂに雪や氷が付着したときに、撮像素子１６の熱で、雪や氷のレンズ１３に接する部分を解かすことができ、雪や氷をレンズ１３上で滑らせてレンズ１３上から落下させることができる。
また、撮像素子１６の熱を、基板３４、コネクタ２７、接着剤２６、鏡筒１２及びレンズ１３の各部から放射させることができ、撮像素子１６の温度上昇を抑制することができる。
また、カメラ装置３０の基本構造（レンズ１３、撮像素子１６、鏡筒３２、基板３４）によって、レンズ１３に付着した雪や氷を除去することができ、コストを抑えることができる。
【００３１】
以上に示したように、表面１３ａに親水コーティングが施されたレンズ１３と、レンズ１３を支持する鏡筒３２と、発熱体としての撮像素子１６が取付けられた基板３４とを備え、鏡筒３２は、金属又は熱伝導性を有する樹脂からなり、鏡筒３２に、基板３４が接着剤２６を介して接続される。
この構成によれば、撮像素子１６で生じる熱を、基板３４、鏡筒３２を介してレンズ１３に伝えて、レンズ１３自体を温めることができ、レンズ１３に雪や氷５１が付着した際に、雪や氷５１のレンズ１３と接触する部分を溶かして雪や氷５１をレンズ１３から容易に除去することができる。また、氷５１が解けて出来た水を、レンズ１３の親水コーティングによってレンズ１３の表面１３ｂに広がるように水膜を形成することができ、雪や氷５１を滑りやすくして、レンズ１３の表面１３ｂから容易に除去することができる。更に、カメラ構造に備える基板３４に撮像素子１６を取付ける従来構造を利用するものであり、コストアップを抑えることができる。
また、発熱体は、レンズ１３を通過した光を電気信号に変換する撮像素子１６であるので、特別な発熱体を設ける必要がなく、コストを抑えることができる。
【００３２】
上述した実施形態は、あくまでも本発明の一態様を示すものであり、本発明の主旨を逸脱しない範囲で任意に変形及び応用が可能である。
例えば、上記実施形態において、図１に示したように、水滴除去部材１４に突起部１４ｂを設け、水滴除去部材１４を筐体１１に着脱自在に取付けたが、これに限らず、水滴除去部材１４の突起部１４ｂのみを、少なくとも筐体１１の前面又は鏡筒１２に接着等により取付けても良い。
本発明のカメラ装置は、車両に搭載するものに限らず、建物内や建物外の道路等に設置するものにも適用可能である。
【符号の説明】
【００３３】
１０，３０  カメラ装置
１１  筐体
１２，３２  鏡筒
１３  レンズ
１４  水滴除去部材
１４ｂ  突起部（水滴除去部材の一部）
１６  撮像素子
２２，３４  基板
２２ｂ  凹部（又はスリット）
２５  発熱体
２７  コネクタ
【図１】
2018205606.tif 000003
【図２】
2018205606.tif 000004
【図３】
2018205606.tif 000005
【図４】
2018205606.tif 000006
【図５】
2018205606.tif 000007
【図６】
2018205606.tif 000008
【図７】
2018205606.tif 000009
【図８】
2018205606.tif 000010
【図９】
2018205606.tif 000011